(57)【特許請求の範囲】
【請求項１】
演奏動作を行うオルゴールを設けた演奏部と、前記オルゴールディスクを複数枚収納可能である収納部と、前記収納部に収納された任意のオルゴールディスクを前記演奏部に移送する移送機構と、前記移送機構により移送されたオルゴールディスクを前記演奏部にセットするセット機構を設けたディスクオルゴールのオートチェンジ機構において、
前記収納部は、オルゴールディスクの保持及び内部に保持されたオルゴールディスクの変動を防止する保持機構を備えるとともに、オルゴールディスクを収納部に保持したままオルゴールにセットするための切欠部を備え、
前記移送機構は、前記収納部を駆動して、任意のオルゴールディスクを前記演奏部のオルゴールにセット可能な位置に移送し、
前記セット機構を駆動して、前記収納部内のオルゴールディスクを、オルゴールにセットして演奏を開始し、また、演奏終了後には、前記セット機構によって、前記オルゴールからオルゴールディスクのセットが解除されて、他の任意のオルゴールディスクに変更するものであることを特徴とするディスクオルゴールのオートチェンジ機構。
【請求項２】
前記移送機構は前記収納部を回転させる回転機構、または、平行移動させるスライド機構を設けてなるものであることを特徴とする前記請求項１記載のディスクオルゴールのオートチェンジ機構。
【請求項３】
前記セット機構は、前記収納部又は前記演奏部を平行移動させることにより、オルゴールディスクをオルゴールにセット或は前記セットを解除する機構であることを特徴とする請求項１記載のディスクオルゴールのオートチェンジ機構。
【請求項４】
前記演奏用のオルゴールディスクは、演奏用の凸部又は孔部による演奏用係合部を備え、前記オルゴールディスクの中央部の装着孔に該ディスクがディスクオルゴールに回転可能にセットされるためのアダプターを装着し、
前記アダプターは、オルゴールディスクに嵌着する嵌着部の側面にラチェットが形成され、
前記ディスクホルダー内部に設けられた保持機構は、保持アームの先端に前記ラチェットと噛合する送り爪が設けられ、
前記ラチェットと送り爪の噛合により、ディスクホルダー保持時には、オルゴールディスクの回転防止機能、演奏時には、一方方向への回転補助機能が備えられていることを特徴とする前記請求項１又は３いずれか記載のディスクオルゴールのオートチェンジ機構。
【発明の詳細な説明】
【０００１】
【発明の属する技術分野】
本発明は、所定の演奏パターンに複数の演奏係合部を設けたオルゴールディスクを、モータにより回転駆動し、所定の演奏タイミングで、スターホイールを演奏係合部が係合して回転させ、スターホイールによりオルゴール弁を弾いて、メロディを奏でるディスクオルゴールに関し、使用者が、複数のオルゴールディスクから任意に選択可能とし、各曲毎に正確に演奏開始、停止が行えるようにした。
【０００２】
【従来の技術】
一般に、時計等の報知に用いられる発音手段としては、発音回路及びスピーカ等を用いて、無機的な電子音を得るものに限らず、機械的なオルゴールを用いて、柔らかく古風なオルゴール音を得るようにしたものが知られている。
【０００３】
このようなオルゴールは、単一の曲目をオルゴール演奏するものが一般的であり、この音程に応じた複数の発音部分を備えた長板状の発音体と、この発音体に対向配置された所定の演奏タイミングで発音体の発音部分を爪弾く突起が突設されたドラム体と、このドラム体を一定速度で回転駆動する駆動部とから構成されている。
【０００４】
すなわち、この発音体は、略長板状の金属板を、音階数に応じた所定数の発音部分であるクシ歯状に形成され、これらのクシ歯部分（オルゴール弁）は、所定の長さ且つ厚さに形成され、このオルゴール弁の先端が爪弾かれた場合には、分担する音階のオルゴール音が発生するようにしている。また、ドラム体は、少なくとも発音体より長い円筒状に形成され、発音体の発音部位に対峙して回転可能に配設され、発音体の発音部分に対応した外周には、曲目に合せて間歇的な突起が形成されている。そして、駆動部が、ドラム体を一定方向に所定スピードで回転駆動することにより、所定のタイミングでドラム体の各突起が、発音体の各発音部位を爪弾くことにより、曲目をオルゴール演奏している。
【０００５】
また、このように予め組込まれたドラム体の替わりに、異なる曲目が記録された複数のオルゴールディスクを、交換可能に構成し、任意の曲目をオルゴール演奏できるようにしたオルゴールも、提案されている。
【０００６】
このオルゴールディスクは、円盤状に形成され、該オルゴールディスクの一面を発音体のオルゴール弁に応じて複数トラックに区画し、そのトラックが分担した音階の演奏タイミングに応じた周方向の箇所に演奏用係合部を形成した構成とされ、これらの演奏用係合部は、オルゴールディスクの所定箇所に設けた突起や所定径の孔により構成されている。そして、このような演奏用係合部を用いて、発音体の所定部位を、爪弾くことによって、オルゴール演奏が行われる。
【０００７】
すなわち、このオルゴールディスクを用いるオルゴールは、多数の演奏用係合部を備えた円板状のオルゴールディスクを装着してオルゴール演奏するものであって、オルゴールディスクはオルゴール本体部の駆動機構により回転駆動され、他方、オルゴール本体部には、発音体のオルゴール弁を弾くスターホイールを、スターホイール軸に回転可能に装着している。そして、駆動機構によりオルゴールディスクを回転させると、オルゴールディスクの演奏用係合部が該演奏用係合部に対応するスターホイールの爪を引っ掛けて該スターホイールを回転させ、この回転するスターホイールを後続する他の爪により、所定のタイミングで所定音階のオルゴール弁を弾いてオルゴール音を生成し、メロディを奏でることができる。
【０００８】
また、このディスクオルゴールは、スターホイールに対向する部位のオルゴールディスクを、押えローラを備えたオルゴールディスク押えアームで片側面から押圧して保持することにより、比較的に薄い厚さのオルゴールディスクを用いることができる。従って、異なる曲目パターンが形成されたオルゴールディスクを、多数、廉価に制作することができるとともに、オルゴールディスク自体が薄板円盤状なので、ＣＤサイズのメディアと同様に、収納、保管も容易に行え、効率的に輸送することができ、効率的な商品流通が図れる。
【０００９】
更に、このようにオルゴールディスク自体の取扱が容易なので、オルゴールに着脱することも簡易に行え、短時間にオルゴールディスク交換できる。従って、予め異なる曲目のオルゴールディスクを複数枚、用意しておき、これらのオルゴールディスクから任意の曲目を選択してオルゴールディスクを交換することにより、オルゴール演奏する曲目の変更を迅速且つ容易に行うことができる。
【００１０】
このように、ディスクオルゴールは、ドラム固定型の１曲専用のオルゴールに比べて、複数のオルゴールディスクから任意のオルゴールディスクを選択した簡単に装着できるので、曲目の変更が柔軟且つ容易に行える利点を有している。
【００１１】
【発明が解決しようとする課題】
このような、ディスクオルゴールにオルゴールディスクの自動交換機構を設けようとした場合は、その交換が確実にでき、機構自体が簡易であり、交換動作に信頼性のある機構が要請される。
【００１２】
近時においては、ＣＤプレイヤーにＣＤディスクの自動交換機構を設けたものが多様され始めている。この種の自動交換機構は、横置きのＣＤディスクを移動して、横置きのまま読み出し装置で出力するようになっているが、ＣＤディスクはディスク表面が平滑に形成され、発音体を共鳴させるための突設する爪が形成されているオルゴールディスクのような凸部を有するものには、転用することができない。また、ＣＤプレイヤーの読み取りヘッド部分は、軽量小型化されて容易且つ迅速な移動操作が可能に構成され、この特質を用いて自動交換化しているのに対して、ディスクオルゴールは、良質な発音動作を行わせるために、オルゴール発音体にある程度の大きさと重さを必要とするので、比較的に移動が困難であり、ＣＤプレイヤーの自動交換機能をそのまま転用することはできない。
【００１３】
そこで、本発明は、この種のディスクオルゴールについて、選択動作が簡易且つ確実な機構を用いて、任意のオルゴールディスクを選択することが可能なディスクのオートチェンジ機構を提案するものである。
【００１４】
【課題を解決するための手段】
本願第１請求項に記載した発明は、演奏動作を行うオルゴールを設けた演奏部と、前記オルゴールディスクを複数枚収納可能である収納部と、前記収納部に収納された任意のオルゴールディスクを前記演奏部に移送する移送機構と、前記移送機構により移送されたオルゴールディスクを前記演奏部にセットするセット機構を設けたディスクオルゴールのオートチェンジ機構において、
前記収納部は、オルゴールディスクの保持及び内部に保持されたオルゴールディスクの変動を防止する保持機構を備えるとともに、オルゴールディスクを収納部に保持したままオルゴールにセットするための切欠部を備え、
前記移送機構は、前記収納部を駆動して、任意のオルゴールディスクを前記演奏部のオルゴールにセット可能な位置に移送し、
前記セット機構を駆動して、前記収納部内のオルゴールディスクを、オルゴールにセットして演奏を開始し、また、演奏終了後には、前記セット機構によって、前記オルゴールからオルゴールディスクのセットが解除されて、他の任意のオルゴールディスクに変更する構成のディスクオルゴールのオートチェンジ機構である。
【００１５】
このように、本発明のオートチェンジ機構は、複数枚のオルゴールディスクをセット可能な収納部と、前記収納部にセットされたオルゴールディスクを任意に選択するとともに、選択したオルゴールディスクを演奏部にセット可能に移送する移送機構と、前記オルゴールディスクを演奏部にセットするセット機構を備えていることにより、複数枚のオルゴールディスクの中から任意に選択されたオルゴールディスクの演奏が可能となる。従って、従来においては、オートチェンジ機構を用いることが困難であった、オルゴール弁を爪弾くための突起が形成されているオルゴールディスクであっても、任意に好みの曲を選択するオートチェンジ機構を設けることができる。
【００１６】
また、本発明のオートチェンジ機構によれば、収納部にオルゴールディスクを保持したまま、演奏部にオルゴールディスクをセットすることができるため、ディスクオルゴールの薄型化及び小型化することができ、商品の汎用性を向上することができる。
【００１７】
また、オートチェンジ機構を外部から視認することができるようにすると、突起のあるオルゴールディスクをデザイン的に見せることができ、また、オートチェンジ機構をからくり動作的に見せることができるため、見た目の楽しさを提供して商品購買力を向上することができる。
【００１８】
本願第２請求項に記載された発明は、前記請求項１記載のディスクオルゴールのオートチェンジ機構において、前記移送機構は前記収納部を回転させる回転機構、または、平行移動させるスライド機構を設けてなるものである構成のディスクオルゴールのオートチェンジ機構である。
【００１９】
このように、前記移送機構は、前記収納部を回転させる回転機構、又は、平行移動させるスライド機構であるため、複雑な動作を必要とせずに、収納部を駆動して、収納部内に保持したディスクオルゴールをセット可能な位置に移送することができる。
【００２０】
また、前記移送機構の移送動作によって、収納部の形状を変化させることができ、本発明のオートチェンジ機構を設けるディスクオルゴールの姿勢差をなくして商品の汎用性を向上させることができる。
【００２１】
本願第３請求項に記載した発明は、前記請求項１記載のディスクオルゴールのオートチェンジ機構において、前記セット機構は、前記収納部又は前記演奏部を平行移動させることにより、オルゴールディスクをオルゴールにセット或は前記セットを解除する機構である構成のディスクオルゴールのオートチェンジ機構である。
【００２２】
このように、ディスクオルゴールのオートチェンジ機構に設けられたセット機構は、収納部又は演奏部を平行移動させる単純な動作によって、安定且つ確実に、任意のオルゴールディスクを演奏部にセットすることができる。
【００２３】
また、収納部自体又は演奏部自体が移動して、オルゴールディスクが演奏部にセットされるので、オルゴール演奏する視認性が良好となり、より外観性の向上が図れ、商品価値を高めることができる。
【００２４】
本願第４請求項に記載した発明は、前記請求項１又は３いずれか記載のディスクオルゴールのオートチェンジ機構において、前記演奏用のオルゴールディスクは、演奏用の凸部又は孔部による演奏用係合部を備え、前記オルゴールディスクの中央部の装着孔に該ディスクがディスクオルゴールに回転可能にセットされるためのアダプターを装着し、
前記アダプターは、オルゴールディスクに嵌着する嵌着部の側面にラチェットが形成されており、
前記ディスクホルダー内部に設けられた保持アームの先端に前記ラチェットと噛合する送り爪が設けられ、
前記ラチェットと送り爪の噛合により、ディスクホルダー保持時には、オルゴールディスクの回転防止機能、演奏時には、一方方向への回転補助機能が備えられている構成のディスクオルゴールのオートチェンジ機構である。
【００２５】
このように、オルゴールディスクのアダプターにラチェットが形成され、前記ディスクホルダー内部の保持アームの先端に設けられた送り爪と前記ラチェットと噛合する構成となっているため、ディスクホルダー内に保持されたオルゴールディスクの回転防止機能及び一定方向へ回転するように回転補助機能が発揮されることとなり、オルゴールディスクは、定位置で確実且つ安定に保持されるとともに、確実に定位置からの演奏を開始することができる。
【００２６】
【発明の実施の形態】
以下、本発明のディスクオルゴールに係る第１具体例を図１乃至図１２に基づいて説明する。
【００２７】
図１及び図２に示すように、本例のディスクオルゴールのオートチェンジ機構は、アダプターを装着したオルゴールディスク（以下、ディスク１と称する）を用いたディスクオルゴール（以下、オルゴール２０と称する）を配設するとともに、複数のディスク１を保持する円形状のディスクホルダーを配設した収納部と、前記収納部を回転駆動して、任意のディスク１を演奏可能に演奏部にセットするセット機構を備えた構成である。
【００２８】
本例のディスクオルゴールのオートチェンジ機構は、このオルゴール２０によるオルゴール演奏動作や、ディスク１形状、ディスク１選択動作を外部から視認できるように設けられ、演出効果や装飾効果を十分発揮できるようにするとともに、複数のディスク１を収納する収納部の薄型化を図り、商品形態の向上と、商品価値を高めるようにしている。
【００２９】
すなわち、ディスク１は、後述するディスクホルダー１２に保持されて、該ホルダー１２が装着された収納部１１が回動して、任意のディスク１を選択し、その後、前記収納部１１に保持されたディスク１が、本例のオートチェンジ機構のセット機構によって、オルゴール２０に対して垂直方向に移動されて、ディスク１に装着されたアダプター５を介して、オルゴール２０にディスク１がセットされる構成となっている。
【００３０】
尚、本例のオートチェンジ機構１０は、時計と組合せて用いることも可能であり、その場合は、文字盤を備えた時計が配置され、時計の時報動作として、オルゴール演奏がなされるようにしている。
【００３１】
また、後述するが、本例のディスク１自体は、基本的に従来構成と同様に、演奏用の係合部３（係合突起３Ａ）を設けたオルゴールディスクであり、そして従来構成と同様なオルゴール２０に用いられているので、まず、このオルゴール２０を説明し、次に、本例のディスク１を説明した後、オートチェンジ機構について説明する。
【００３２】
このオルゴール２０は、図３に示すように、略平板素材を用いて所定の平面形状に形成されたベース台２１と、このベース台２１上に立設された中心軸２２と、ディスク１のアダプター５を回転駆動する駆動機構２４と、この駆動機構２４によって回転駆動されるディスク１の各演奏用係合部３により、対応した各スターホイール２６を介して、発音駆動されるオルゴール発音体２７とから構成されている。
【００３３】
すなわち、このベース台２１は、剛性強度が高い素材を用いて、少なくとも、ディスク１半径の長さより長い平板形状に形成され、その長手方向の一端に、ディスク１をアダプター５を介して回転可能に軸支する一方、他端に、駆動機構２４のモータＭを配設するとともに、これらの間に、オルゴール演奏時にモータ回転駆動力を、ディスク１のアダプター５に減速して伝達する駆動機構２４の伝達軸及び歯車を配設した構成とされ、この駆動機構２４により、オルゴール演奏時にディスク１を、一定回転方向に一定速度で回転駆動するようにしている。
【００３４】
この駆動機構２４は、図４に示すように、ディスク１が所定にセットされた場合、つまりディスク１に装着されたアダプター５が、中心軸２２に遊嵌されたときに、該ディスク１の外側に位置するモータＭと、このモータ回転出力をアダプター５に減速しつつ伝達する第１入力歯車３２、伝達軸３３、第１出力歯車３４、第２歯車３５とから構成されている。
【００３５】
この駆動機構２４のモータＭは、ＤＣモータが用いられ、ディスク１の外方に、そのモータ軸を、ベース台２１の平面と平行に、ベース台２１に固定されている。従って、モータＭを、ベース台２１の平面に安定して保持するとともに、オルゴール２０の厚さを、ほぼ最小限、モータ形程度の高さに収めて、薄型化を図ることができるようにしている。
【００３６】
また、このモータＭの電源端子は、図示を省略したモータ駆動回路に接続され、このモータ駆動回路から、供給される駆動電流により、動作するように構成されている。
【００３７】
更に、このモータＭの出力軸には、ウォームギア３１が固着され、このウォームギア３１には、第１入力歯車３２が噛合している。この第１入力歯車３２は、このモータ出力軸の長手方向と直交し、且つスターホイール軸２６Ａと平行に軸支された伝達軸３３の一端に固着され、この伝達軸３３の他端には、第１出力歯車３４が固着されている。この第１出力歯車３４は、第２歯車３５の入力歯車部３５ａに噛合し、この第２歯車３５に一体に形成された出力歯車部３５ｂは、ディスク・セット時には、該ディスク１に装着されたアダプター５に一体に形成された歯車部８に噛合できるようにしている。
【００３８】
すなわち、この第２歯車３５は、互いに直交する回転面を有する入力歯車部３５ａ，出力歯車部３５ｂを一体に備えており、その入力歯車部３５ａが、略円板上の外周縁を軸方向に突設するとともに、この突設された端面に歯部が刻設されて形成され、この歯部が、第１出力歯車３４に噛合している。また、この第２歯車３５の出力歯車部３５ｂは、入力歯車部３５ａと同軸且つ内周に、比較的に小径な外歯状歯車に形成され、ディスク・セット時には、この出力歯車部３５ｂが、ディスク１に装着されたアダプター５に一体に形成された歯車部８に、噛合するように設けられている。従って、第１入出力歯車３４の回転を、該回転軸に直交する方向にベース台２１上にセットされたアダプター５に、減速しつつ伝達するようにしている。
【００３９】
更に、これらの互いに噛合する各歯車３１，３２，３４，３５ａ，３５ｂ間には、所定の減速比が設定されている。
【００４０】
このように構成された駆動機構２４により、モータＭの回転駆動力は、所定速度に減速されつつアダプター５に伝達され、このアダプター５に装着されたディスク１を所定の回転速度で回転させるようにしている。
【００４１】
また、オルゴール音を発生するオルゴール発音体２７は、金属素材を用いて長板形状に形成され、セットされたディスク１と平行になるように、ベース台２１上に配設されている。このオルゴール発音体２７の一端側の先端は、クシ歯状に形成されたオルゴール弁部２７ａが設けられ、オルゴール弁部２７ａ側の端部が、ディスク１の半径方向に揃うように、他端側の基端が、ベース台２１に設けられた台座部に固定されている。また、これらのオルゴール弁部２７ａ，２７ａは、発音する音階数に応じた所定数が設けられ、それぞれが、音階に応じた所定の厚さ及び長さに形成され、これらのオルゴール弁部２７ａ，２７ａの先端が弾かれると、所定の音階／音程のオルゴール音を生成するように設けられている。
【００４２】
そして、ディスク１下面側の箇所には、ディスク１の音階トラック数に応じた複数のスターホイール２６が、スターホイール軸２６Ａにより、回転可能に軸支されている。
【００４３】
このスターホイール２６は、どのような回転位置でも、ディスク１の係合突部に係合できるように、８つの爪部が設けられており、これらの爪部の回転方向における前側は、鋭角なスロープ面に形成される一方、後側は、回転方向に直交する面に形成されて、ディスク１の係合突部との係合を確実に行えるようにしている。
【００４４】
従って、演奏係合部として、穴を設けたタイプに比べて、全てのスターホイールの爪を一列に揃える整列動作や、穴に確実に係合するように回転方向にスターホイールを回転付勢する必要がなくなり、構成的に簡素化することができる。
【００４５】
また、各スターホイール２６に対峙したベース台２１の箇所には、摩擦を低減できる合成樹脂を用いて、スターホイール２６と同数に所定幅の間隙部を有した離間部材が設けられ、各スターホイール２６を、スターホイール軸長手方向に沿った所定の間隔に維持できるようにしている。
【００４６】
従って、各スターホイール２６は、回転可能に、それぞれ、対応したオルゴール発音体２７のオルゴール弁部２７ａに、常に対峙した位置であり、且つ、ディスク１に設けられた演奏用係合部３の回転軌跡に、常に対峙した位置で保持されるようになっている。
【００４７】
そして、ベース台２１に、任意に選択したディスク１をセットし、図示を省略した制御回路から正時等に起動信号が出力されたり、同様に図示を省略したモニタースイッチを使用者がオン操作すると、駆動機構２４によりディスク１が回転駆動され、曲目の音階に応じたオルゴール弁部２７ａが、所定のタイミングで、スターホイール２６の爪部２６ａにより爪弾かれ、オルゴール演奏が行われる。
【００４８】
すなわち、ディスク１の各演奏用係合部３の突起が、該演奏用係合部３に対応するスターホイール２６の爪部２６ａに引っ掛けて、該スターホイール２６を強制的に回転させ、この回転するスターホイール２６の後続する他の爪部２６ａにより、最終的にオルゴール弁部２７ａが弾かれ、オルゴール音が発生する。
【００４９】
これは、ディスク１が回転駆動され（図５（１））、演奏用係合部３がスターホイール２６の爪部２６ａのうち、例えば爪部２６ａと係合する（図５（２））と、該爪部２６ａは演奏用係合部３の突起３Ａにより強制的に移動され、スターホイール２６が回転させられる。このとき、スターホイール２６の爪部２６ａにより、最終的にオルゴール弁部２７ａが弾かれ、オルゴール音が発生する。
【００５０】
これは、ディスク１が回転駆動され（図５（１））、演奏用係合部３がスターホイール２６の爪部２６ａのうち、例えば爪部２６ａと係合する（図５（２））と、該爪部２６ａは演奏用係合部３の突起３Ａにより強制的に移動され、スターホイール２６が回転させられる。このとき、スターホイール２６の爪部２６ａに後続する爪部２６ａがオルゴール弁部２７ａを当接し（図５（３））、更に回転移動してオルゴール弁部２７ａを爪弾いて（図５（４））、この結果、当該オルゴール弁部２７ａの固有な音階のオルゴール音が発生する。
【００５１】
次に、このように構成されたオルゴール２０に用いるディスク１を説明する。
【００５２】
図６乃至図９に示すように、このディスク１は、ステンレス等の軽金属を用いて所定の剛性強度を備えた円盤形状に形成され、その裏面に曲目パターンに応じて複数の演奏用係合部３が設けられている。
【００５３】
また、ディスク１は、その中心に所定の内径を備えた円形状の装着孔２Ａが貫設され、この装着孔２Ａの近傍且つ曲目パターンの開始位置に応じた角度位置には、略四角形状の位置決め孔２Ｂが貫設されている。
【００５４】
また、このディスク１の裏面は、前述したオルゴール２０のオルゴール発音体２７のオルゴール弁２７ａに相応して、径方向に複数トラックに区画されており、各トラックが分担した音階の発音タイミングに応じた周方向の箇所には、演奏用係合部３が形成され、これらの演奏用係合部３により、所定の曲目パターンを構成している。
【００５５】
また、この演奏用係合部３は、本例においては、突起タイプのものが用いられており、金属製ディスク１の該当箇所を切り起こして突起３Ａを形成し、この突起３Ａを発音動作用の係合駆動部３としている。すなわち、略長方径のコ字形状に切り込み３ａを形成し（図９（１））、この切り込み３ａを押圧して切り起こし部３ｂに成形し（図９（２））、更にこの切り起こし部３ｂを中間で折り曲げて、所定高さにディスク１背面から突出した突起３Ａを形成している（図９（３））。また、このような演奏用係合部３は、自動的な加工機械により、ディスク１の内周側から外周側に向って、順次、形成されている。従って、このように演奏用係合部３を形成しているので、簡易な製作治具、製作工程で容易に、多数のディスク１を製作することができる。
【００５６】
更に、このディスク１の装着孔２Ａにアダプター５を装着するとともに、同ディスク１の位置決め孔２Ｂを用いて、アダプター５をディスク１の曲目開始位置と合せるようにしている。
【００５７】
また、このアダプター５は、ディスク・セット時には、ディスクオルゴールのベース台２１に立設された中心軸２２に遊嵌されるとともに、駆動機構の出力歯車に噛合されて、駆動機構に接続されるようになっている。
【００５８】
すなわち、このアダプター５は、再び図６乃至図８に示すように、合成樹脂を用いて、同一の底面部を有した所定の多重環形状に形成され、その内周から外周に向けて、中心軸２２に回転可能に挿嵌される軸挿嵌部６と、ディスク１の装着孔２Ａに嵌着されるディスク嵌着部７と、駆動機構の出力歯車に噛合される歯車部８と、ディスク１の下面に当接するとともに、ディスク１の前記位置決め孔２Ｂに係合する突起部９ａとディスク回転位置検出用の切欠き部９ｂとを備えた支持部９とが、一体成形により設けられている。
【００５９】
この軸挿嵌部６は、その内径が、ディスクオルゴールに立設された中心軸２２の外径と、ほぼ、同一径に形成されるとともに、その長手方向の寸法が、該中心軸２２に、安定して挿嵌できる十分な長さに設定されている。
【００６０】
従って、挿嵌された場合には、このアダプター５のみならず、アダプター５が結合されたディスク１を、中心軸２２に、安定して回転可能に軸支することができ、この中心軸２２に対するディスク回転の軸安定度を高めることができるようにしている。
【００６１】
また、この軸挿嵌部６において、そのディスクオルゴール側の開口端部は、テーパー面が形成されている。
【００６２】
従って、中心軸２２に対して、アダプター５が僅かにずれたり、傾いたりしても、このテーパー面がガイド面となるので、中心軸２２に、ディスクが装着されたアダプター５を、容易に挿嵌することができるようにしている。
【００６３】
更に、このディスク嵌着部７は、略筒形状に形成され、その外直径の寸法が、ディスク１に設けられた装着孔２Ａの内径寸法と、ほぼ、同一に設定されている。
【００６４】
また、このディスク嵌着部７は、同図中において、上方の端面から下方に向けて、複数の切欠きが形成され、これらの切欠きによって分割されたディスク嵌着部７の各先端側を、径方向に弾性変形できるようにしている。
【００６５】
更に、これらの各先端には、抜け止め爪部７ａが設けられ、ディスク１にアダプター５を安定して、所定に装着できるようにしている。
【００６６】
すなわち、これらの抜け止め爪部７ａは、ディスク嵌着部７の所定箇所に、該ディスク嵌着部７の外周面と直交し、外周側に所定量、突出して形成された段差部と、この段差部の突出端面から開始された側面とから構成されている。
【００６７】
また、抜け止め爪部７ａの外周側面には、後述する保持アームの送り爪と噛合ラチェット７ｂが形成されている。
【００６８】
また、アダプター５軸長手方向において、この段差部の段差面は、後述するように、支持部９のディスク支持面を、基準として、配置されており、これらの両者の間には、ディスク厚さの分だけの間隔が設けられている。
【００６９】
従って、このようにディスク嵌着部７が構成されているので、ディスク１にアダプター５を、容易に脱着することができるとともに、その装着時には、確実且つ安定して、アダプター５にディスク１を保持することができる。
【００７０】
また、アダプター装着を解除する場合には、アダプター５のディスク嵌着部７を内周側に押圧して、ディスク嵌着部７の各抜け止め爪部７ａと、ディスク１の装着孔２Ａとの係合を解除し、装着孔２Ａからディスク嵌着部７を抜き出すことにより、アダプター５をディスク１から容易に取り外すことができる。
【００７１】
また、装着部７の外周側面に形成されたラチェット７ｂは、後述するディスクホルダー内部に設けられた保持アームの先端部に備えられる送り爪１４Ａと噛合して、ディスク１の回転防止機能、及び、ディスク１のオルゴール２０セット時には、一定方向に回転する回転補助機能が発揮される。
【００７２】
更に、前記歯車部８は、比較的に大径の円筒形状に形成され、この外周には所定歯数の外歯が、一体に設けられている。
【００７３】
従って、この歯車部８の比較的に大径な歯車を、オルゴール側に設けられた駆動機構の出力歯車に噛合し、回転駆動力を伝達するようにしているので、回転力の伝達が確実になり、安定したディスクの回転駆動が可能となる。
【００７４】
また、この支持部９は、所定の直径のリング形状に形成され、アダプター軸長手方向における、そのリング状支持面の位置が、この支持部９の支持面に当接して保持されるディスク１が、上述したオルゴール２０側に配置された各スターホイール２６に対峙できるよう設定されている。
【００７５】
更に、この支持部９の外直径は、ディスク１に設けられた演奏用係合部３の最内周トラックに接触しない最大の直径寸法に設定され、この支持部９とディスク１との接触面積を十分に確保できるようにしている。
【００７６】
従って、この支持部９によって、該支持部９とディスク１との当接面積を確保して、アダプター５に安定保持するとともに、ディスク・セット時には、ディスク１の下面が、ディスクオルゴールのベース台面から、所定の間隔を、設けることができるようにしている。
【００７７】
尚、支持部９は、ディスクを十分に安定して保持できるとともに、１回転検出手段の被検出部である切欠き部９ｂを設けることができれば、その形状が限定されることはない。すなわち、円板形状ではなく、放射状に３本の支持アームを設けた構成としても良く、デザイン性やディスクへのアダプター脱着容易性の向上を図ることもできる。
【００７８】
また、支持部９の所定箇所には、ディスク１の位置決め孔２Ｂに係合し、ディスク１に対するアダプター５の回転角度位置を規定する突起部９ａと、ディスク１の回転停止及び開始位置を規定する切欠き部９ｂとが、設けられている。
【００７９】
すなわち、ディスク１の位置決め孔２Ｂは、予めディスク１の曲目パターンの開始位置に応じた角度位置に設けられ、同様に、この位置決め孔２Ｂに応じた角度位置に、アダプター側の支持部９の突起部９ａが設けられ、更に同様に、この突起部９ａに応じた角度位置に、支持部９の切欠き部９ｂが設けられている。
【００８０】
従って、ディスク１に装着されたアダプター５に対して、そのディスク１の演奏開始及び演奏終了位置は、常に一定となり、アダプター側の切欠き部９ｂを検出することにより、この演奏開始及び終了位置を判別することができる。
【００８１】
そして、本例においては、切欠き部９ｂの検出手段として、簡易なマイクロスイッチ３９をディスクオルゴール側に固定設置して用い、ディスク回転位置検出手段３７を構成している。
【００８２】
すなわち、支持部の切欠き部９ｂを設ける位置と、オルゴール２０のベース台２１上にマイクロスイッチ３９を設置する位置とは、互いに上下方向に一致した場合に、ディスク１の回転位置が、その開始曲の演奏開始及び演奏終了位置になるように設定されている。
【００８３】
このマイクロスイッチ３９は、図１０（１）に示すように、スイッチ本体の上部に、ピン状のスイッチレバー３９ａを備え、このスイッチレバー３９ａは、その基端をスイッチ本体に回転可能に支持されるとともに、その先端が上方に向くようにバネ等により、付勢されている。
【００８４】
また、マイクロスイッチ３９とアダプター５の支持部９の下面との距離は、そのスイッチレバー３９ａの全長よりも短く、つまり、オルゴールの演奏途中の回転位置では、スイッチレバー３９ａが、支持部９の下面に当接して倒される距離に設定されている。
【００８５】
そして、このマイクロスイッチ３９内部には、スイッチレバー３９ａに連動して、検出信号を送出する接点構造等が収納されている。
【００８６】
また、このマイクロスイッチ３９は、通常とは逆転動作し、スイッチレバー３９ａが倒された場合に、オフ信号を出力する一方、スイッチレバー３９ａが起立した場合に、オフ信号を出力するように設定されている。尚、これに限らず、通常設定のマイクロスイッチを設置し、このスイッチの出力信号を逆転回路を介して用いる構成としても良い。
【００８７】
従って、ディスク１の一回転途中、つまり、オルゴール曲の演奏途中の場合には、図１０（２）に示すように、マイクロスイッチ３９のスイッチレバー３９ａは、アダプター５の支持部９下面に当接して倒立され、オフ状態の信号が出力される。
【００８８】
そして、図１０（３）に示すように、アダプター５に設けた切欠き部９ｂが、スイッチレバー３９ａの直上方位置に到達すると、この切欠き部９ｂにスイッチレバー３９ａが入り込み、スイッチレバー３９ａが上方に起立するので、マイクロスイッチ３９からオン状態の検出信号が出力され、これに基づき、ディスク１の回転駆動を停止し、オルゴール演奏を終了することができる。
【００８９】
尚、このようにディスクの回転位置検出手段を構成しているので、これを用いて、従来と同様に、ディスク１のセット時に、自動的にディスク１をオルゴール演奏開始位置に設定する自動設定機構を容易に実現することができる。
【００９０】
次に、このように構成されたオルゴール２０に、ディスク１を自動交換するオートチェンジ機構１０を説明する。
【００９１】
このオートチェンジ機構１０は、再び、図１及び図２に示すように、所定枚数のディスク１を円形状のディスクホルダー１２に保持する収納部１１と、この収納部１１を駆動して、任意のディスク１をオルゴール２０にセット可能な位置に移送する移送機構と、セット可能な位置に移送された収納部１１内のディスク１をオルゴール２０にセットするセット機構と、前記移送機構及びセット機構を作動させる駆動機構と、各機構の動作を判別するセンサ群とから構成されている。
【００９２】
また、このディスクホルダー１２は、円形状に形成されたホルダー表面部材１２ａと、ホルダー裏面部材１２ｂとから構成されている。前記ホルダー表面部材１２ａには、複数のＵ字状の切欠部１３が形成されている。この切欠部１３は、ホルダー表面部材１２ａの円周に沿って、前記ディスクホルダー１２の中心に位置する駆動軸４４方向に向けて、６つのＵ字状の切欠部１３，１３が形成されている。そして、各切欠部１３に各ディスク１が保持される構成となっている。この切欠部１３に保持されるディスク１は、両隣のディスクと両端が重なり合うように保持され、ディスクホルダーの小型化が図られている。
【００９３】
すなわち、前記ホルダー裏面部材１２ｂは、ディスク１を保持可能なように、ディスク１の円周に沿って凸凹が形成され、また、ホルダー裏面部材１２ｂにおいても、前記ホルダー表面部材１２ａの切欠部１３と合致するように、同じく切欠部１３が形成されている。
【００９４】
また、各切欠部１３の内部には、ディスク１を安定に保持し、かつ、ディスク１の位置変動を防止する保持機構が備えられており、この保持機構は、保持アーム１４と、送り爪１４Ａから構成されている。
【００９５】
この保持アーム１４は、所定の剛性強度を備えた軽金属を用いて形成され、押圧付勢によって、ディスク１を保持することができるように構成されている。また、前記保持アーム１４の先端部には、送り爪１４Ａが設けられている。
【００９６】
この送り爪１４Ａには、バネ体が設けられており、送り爪１４Ａがディスク１のアダプター５に形成されたラチェット７ｂと噛合する。
【００９７】
従って、ディスクホルダー１２内に保持されたディスク１は、保持アーム１４の押圧付勢により、ディスクホルダー１２内部に安定に保持されるとともに、前記送り爪１４Ａによって、ディスクホルダー１２内部に保持時においては、ディスク１の回転防止、及び、演奏時には、ディスク１を一定方向に回転するように逆回転防止がなされている。
【００９８】
すなわち、この保持アーム１４及び送り爪１４Ａにより、ディスク１は、確実にディスクホルダー１２内に保持され、所定位置からの演奏の開始が可能になるとともに、オルゴール２０自体の姿勢に拘らず、ディスク１を安定保持して、オルゴール演奏できるようにしている。
【００９９】
また、このディスクホルダーには、各切欠部１３の内部に図示を省略したスイッチレバーが突出されて配設されたリミットスイッチを用いており、このリミットスイッチの出力端子は、制御回路に接続されている。
【０１００】
すなわち、このリミットスイッチは、オルゴール２０の作動に伴うオルゴール演奏の終了を感知して、後述する移送機構及びセット機構を作動させ、自動的に任意のディスク１の演奏を可能とするものである。
【０１０１】
本例において、移送機構及びセット機構は一体的に構成されている。
【０１０２】
すなわち、図１１及び図１２に示すように、本例の移送機構は、円形の薄板状の台座４１と、移送機構及びセット機構を駆動させるモータを備えたモータブロック４３と、前記ディスクホルダー１２を保持し、モータ駆動を伝える駆動軸４４及び前記駆動軸４４にモータ駆動を伝える歯車体４５から構成されている。
【０１０３】
また、セット機構は、前記台座４１の裏面に設けられた板バネ４２と、前記台座４１上に設けられた前記板バネ４２の押圧付勢力を変化させる偏心カム４６からなり、この偏心カム４６は、図示を省略した所定の歯車列を介して前記モータブロックのモータにより作動されるように構成されている。
【０１０４】
尚、セット機構には、押圧されたディスク１がオルゴール２０にセットされたことを検出するリミットスイッチ（図示を省略）が設けられている。
【０１０５】
従って、本例のオートチェンジ機構１０は、図１１及び図１２に示すように、前記移送機構は、ディスクホルダー１２を回動させて任意のディスク１を選択し、オルゴール２０上に設置する回転機構であり、更に、前記移送機構によって、セット可能な位置に移送されたディスク１を、前記セット機構によって、演奏可能となるようにオルゴール２０にセットする構成となっている。
【０１０６】
先ず、前記移送機構に設けられたモータの駆動が、歯車体４５及び駆動軸４４を介してディスクホルダー１２に伝達され、ディスクホルダー１２が駆動軸４４を中心として回動し、任意のディスク１を選択して、オルゴール２０上のセット可能な位置に移送する。
【０１０７】
次に、ディスク１の装着位置を感知して、セット機構の偏心カム４６が回動し、板バネ４２の押圧力を変化させて台座４１を押圧し、ディスクホルダー１２の位置を変化させる。
【０１０８】
そして、オルゴール２０の中心軸２２がディスク１の軸挿通部６に挿通されてオルゴール２０にディスク１がセットされる。
【０１０９】
そして、前述したリミットスイッチの作動によって、オルゴール演奏が開始される。
【０１１０】
その後、演奏終了を感知してリミットスイッチが作動し、再び、偏心カム４６が回動して、台座４１の押圧し、ディスクホルダー１２の位置を変化させてディスク１の軸挿通部６からオルゴール２０の中心軸２２が抜き取られ、更に、前記動作が繰り返されて、他の任意のディスク１がオルゴール２０にセットされて演奏が開始される。
【０１１１】
このようにして、使用者の任意に、または、予め設定されたプログラムに従い、収納部１２に収納されたディスク１が、順次自動交換され、複数曲目のオルゴール演奏を行うことができる。
【０１１２】
以上説明したように、本例のディスクオルゴールのオートチェンジ機構によれば、収納部に複数枚格納したディスクを、適宜、任意に先端交換して自動的にオルゴール演奏することができる。
【０１１３】
本例のディスクオルゴールのオートチェンジ機構によれば、収納部に複数枚のディスクを円形状に格納することができ、スペースの利用効率が良く、また、設置姿勢を選ばないため、時計等に容易に組込むことができ、利用範囲が広い。
【０１１４】
また、本例においては、収納部の回転動作及びセット機構による前後動作若しくは上下動作の単純な動作により、安定且つ確実に、オルゴールにディスクをセットすることができ、動作の信頼性や耐久性を十分に確保することができ、コスト的に有利となる。また、ディスクの交換動作及びオルゴール演奏動作を、外部に視認させた構成とすることにより、からくり的な装飾性として見た目の楽しさを提供することができ、商品購買力を喚起することができる。
【０１１５】
次に、本発明のディスクオルゴールのオートチェンジ機構に係る第２具体例を図１３乃至図１５に基づいて説明する。
【０１１６】
本例のオートチェンジ機構１０は、複数枚のディスク１を直列状に収納部１１に格納し、前記具体例と同様に、これらのディスク１を任意に選択交換して、オルゴール演奏するものである。
【０１１７】
このオートチェンジ機構１０は、図１３乃至図１５に示すように、所定枚数のディスク１を直列状に収納する収納部１１と、この収納部１１自体を移動させる移送機構と、オルゴール２０を備えた演奏部を、前記収納部１１に保持されたディスクオルゴール１にセットするセット機構と、各機構の動作を判別するセンサ群とから構成されている。
【０１１８】
前記収納部１１は、複数枚のディスク１を直列状に保持するものであり、図１３に示すように長方形状のディスクホルダー５２が形成されている。
【０１１９】
このディスクホルダー５２は、長方形状に形成されたホルダー表面部材５２ａと、前記ホルダー表面部材の裏面に保持するホルダー裏面部材５２ｂとから構成されている。前記ホルダー表面部材５２ａ及びホルダー裏面部材５２ｂには、複数のＵ字状の切欠部５３が形成されている。このＵ字状の切欠部５３は、ホルダー表面部材５２ａに所定距離離間して設けられている。また、各切欠部５３内部には、ディスク１を安定に保持し、かつ、ディスク１の位置変動を防止する保持機構である保持アーム５４が設けられている。この保持アーム５４は、弾性機能を有するものであり、押圧付勢によってディスク１を保持する。また、保持アーム５４の先端部には、ディスク１のアダプター５に形成されたラチェット７ｂと噛合する送り爪が設けられている（図示省略）。また、前記切欠部５３内部には、前述と同様にリミットスイッチが設けられている。
【０１２０】
また、本例のディスクホルダー５２は、ディスクホルダー５２自体を左右又は上下に平行に移動させる移送機構が備えられている。
【０１２１】
すなわち、この移送機構は、前記ホルダー裏面部材５２ｂの下端部に、ディスクホルダ５２ーの長手方向に沿って形成されたラック５５と、更に、このラック５５に沿って回動するピニオン５６によって構成されている。このピニオン５６は、所定の歯車列を介して、図示を省略したモータによる駆動機構に接続されている。従って、モータ駆動により、ピニオン５６が回動し、この回動に伴って、ディスクホルダー５２自体が左右又は上下の平行に移動するスライド機構となっている。
【０１２２】
本例のディスクホルダー５２は、図１４に示すように、６枚のディスク１を直列に保持可能とするものであり、ディスク１の同士の端と端が交互に重なり形状で保持する構成となっている。
【０１２３】
すなわち、長方形状のディスクホルダー５２内部には、カセット５７が設けられており、ラック５５側に位置する３枚のディスクはカセット５７内部に位置し、前記保持アーム５４によって安定に保持されている。また、他の３枚のディスク１は、ホルダー表面部材５２ａに近接して、保持アーム５４により安定に保持されている。
【０１２４】
また、図１５（１），（２）に示すように、オルゴール２０自体は、前記ディスクホルダー５２のディスク１位置に演奏可能となるようにセットするセット機構６０上に設けられている。
【０１２５】
このセット機構６０は、オルゴール２０を装着する可動台座６１と、固定された固定台座６２と、パンタグラフ式のクロスアーム６３と、クロスアームのクロス部分に設けられたピン部材６４とから構成されている。
【０１２６】
すなわち、このセット機構６０は、図示を省略した駆動ユニットに接続されたピン部材６４を回動させることによって、クロスアーム６３を伸縮動作し、オルゴール２０を、その垂直姿勢を維持したまま、前後或は上下に所定距離、平行移動できるように構成されている。
【０１２７】
次に、このオートチェンジ機構の動作について説明する。
【０１２８】
先ず、センサ群からの出力を感知して、移送機構を構成するピニオン５６が回動し、ディスクホルダー５２を左右又は上下に平行移動して、任意のディスク１を、オルゴール２０の挿通軸２２が、ディスク１の軸挿通部６に挿通可能な位置まで、移送する。
【０１２９】
次に、セット機構６０のピン部材６４が駆動して可動台座６１が伸長し、ディスク１の軸挿通部６にオルゴール２０の挿通軸２２が挿通されて、演奏可能にセットされる（図１５（２））。
【０１３０】
演奏終了後、リミットスイッチの作動により、再びセット機構６０のピン部材６４が回動して、可動台座６１を収縮させ、ディスク１の軸挿通部６からオルゴール２０の挿通軸２２を抜き取り、ディスク１のセットを解除する（図１５（１））。
【０１３１】
その後、再び、前記動作が繰り返されて、任意のディスク１が選択され、オルゴール演奏が開始される。
【０１３２】
以上説明したように、本例のディスクオルゴールのオートチェンジ機構によれば、前記具体例と同様な効果を奏するのみならず、オルゴール自体が移動して、ディスクをセットするので、オルゴール演奏するディスクの視認性が良好となり、より外観性の向上が図れ、商品価値を高めることができる。
【０１３３】
また、同様に、発音動作するオルゴールがケース前面側に位置するので、オルゴールの演奏効果も改善され、臨場感に溢れるオルゴール演奏が期待できる。
【０１３４】
【発明の効果】
以上説明したように、演奏動作を行うオルゴールを設けた演奏部と、前記オルゴールディスクを複数枚収納可能である収納部と、前記収納部に収納された任意のオルゴールディスクを前記演奏部に移送する移送機構と、前記移送機構により移送されたオルゴールディスクを前記演奏部にセットするセット機構を設けたディスクオルゴールのオートチェンジ機構において、
前記収納部は、オルゴールディスクの保持及び内部に保持されたオルゴールディスクの変動を防止する保持機構を備えるとともに、オルゴールディスクを収納部に保持したままオルゴールにセットするための切欠部を備え、
前記移送機構は、前記収納部を駆動して、任意のオルゴールディスクを前記演奏部のオルゴールにセット可能な位置に移送し、
前記セット機構を駆動して、前記収納部内のオルゴールディスクを、オルゴールにセットして演奏を開始し、また、演奏終了後には、前記セット機構によって、前記オルゴールからオルゴールディスクのセットが解除されて、他の任意のオルゴールディスクに変更する構成のディスクオルゴールのオートチェンジ機構である。
【０１３５】
このように、本発明のオートチェンジ機構は、複数枚のオルゴールディスクをセット可能な収納部と、前記収納部にセットされたオルゴールディスクを任意に選択するとともに、選択したオルゴールディスクを演奏部にセット可能に移送する移送機構と、前記オルゴールディスクを演奏部にセットするセット機構を備えていることにより、複数枚のオルゴールディスクの中から任意に選択されたオルゴールディスクの演奏が可能となる。従って、従来においては、オートチェンジ機構を用いることが困難であった、オルゴール弁を爪弾くための突起が形成されているオルゴールディスクであっても、任意に好みの曲を選択するオートチェンジ機構を設けることができる。
【０１３６】
また、本発明のオートチェンジ機構によれば、収納部にオルゴールディスクを保持したまま、演奏部にオルゴールディスクをセットすることができるため、ディスクオルゴールの薄型化及び小型化することができ、商品の汎用性を向上することができる。
【０１３７】
また、オートチェンジ機構を外部から視認することができるようにすると、突起のあるオルゴールディスクをデザイン的に見せることができ、また、オートチェンジ機構をからくり動作的に見せることができるため、見た目の楽しさを提供して商品購買力を向上することができる。
【０１３８】
本願第２請求項に記載された発明は、前記請求項１記載のディスクオルゴールのオートチェンジ機構において、前記移送機構は前記収納部を回転させる回転機構、または、平行移動させるスライド機構を設けてなるものである構成のディスクオルゴールのオートチェンジ機構である。
【０１３９】
このように、前記移送機構は、前記収納部を回転させる回転機構、又は、平行移動させるスライド機構であるため、複雑な動作を必要とせずに、収納部を駆動して、収納部内に保持したディスクオルゴールをセット可能な位置に移送することができる。
【０１４０】
また、前記移送機構の移送動作によって、収納部の形状を変化させることができ、本発明のオートチェンジ機構を設けるディスクオルゴールの姿勢差をなくして商品の汎用性を向上させることができる。
【０１４１】
本願第３請求項に記載した発明は、前記請求項１記載のディスクオルゴールのオートチェンジ機構において、前記セット機構は、前記収納部又は前記演奏部を平行移動させることにより、オルゴールディスクをオルゴールにセット或は前記セットを解除する機構である構成のディスクオルゴールのオートチェンジ機構である。
【０１４２】
このように、ディスクオルゴールのオートチェンジ機構に設けられたセット機構は、収納部又は演奏部を平行移動させる単純な動作によって、安定且つ確実に、任意のオルゴールディスクを演奏部にセットすることができる。
【０１４３】
また、収納部自体又は演奏部自体が移動して、オルゴールディスクが演奏部にセットされるので、オルゴール演奏する視認性が良好となり、より外観性の向上が図れ、商品価値を高めることができる。
【０１４４】
本願第４請求項に記載した発明は、前記請求項１又は３いずれか記載のディスクオルゴールのオートチェンジ機構において、前記演奏用のオルゴールディスクは、演奏用の凸部又は孔部による演奏用係合部を備え、前記オルゴールディスクの中央部の装着孔に該ディスクがディスクオルゴールに回転可能にセットされるためのアダプターを装着し、
前記アダプターは、オルゴールディスクに嵌着する嵌着部の側面にラチェットが形成されており、
前記ディスクホルダー内部に設けられた保持アームの先端に前記ラチェットと噛合する送り爪が設けられ、
前記ラチェットと送り爪の噛合により、ディスクホルダー保持時には、オルゴールディスクの回転防止機能、演奏時には、一方方向への回転補助機能が備えられている構成のディスクオルゴールのオートチェンジ機構である。
【０１４５】
このように、オルゴールディスクのアダプターにラチェットが形成され、前記ディスクホルダー内部の保持アームの先端に設けられた送り爪と前記ラチェットと噛合する構成となっているため、ディスクホルダー内に保持されたオルゴールディスクの回転防止機能及び一定方向へ回転するように回転補助機能が発揮されることとなり、オルゴールディスクは、定位置で確実且つ安定に保持されるとともに、確実に定位置からの演奏を開始することができる。
【０１４６】
このように、本発明によれば、ディスク交換が確実で、交換動作に信頼性があり、且つ、ディスク回転の安定性を確保できるディスクオルゴールのオートチェンジ機構を得ることができる。
【図面の簡単な説明】
【図１】本発明のディスクオルゴールのオートチェンジ機構の第１具体例に係り、全体構成を示す正面図である。
【図２】図１に示す、ディスクオルゴールのオートチェンジ機構の一部拡大図である。
【図３】本発明のディスクオルゴールの概略全体構成を示す側面図である。
【図４】本例のオルゴールディスクの駆動機構を示す一部省略した斜視図である。
【図５】本例のオルゴールディスクの発音動作を説明し、（１），（２）は発音準備状態を示し、（３）はオルゴールディスクの演奏用係合部にスターホイールの爪が係合した初期状態を示し、（４）はスターホイールの爪によりオルゴール弁が弾かれた発音状態を示す。
【図６】本例のオルゴールディスクに係り、概略全体構成を示す分解斜視図である。
【図７】本例のオルゴールディスクに係り、概略全体構成を示す斜視図である。
【図８】本例のオルゴールディスクに係り、（１）はアダプターを装着したオルゴールディスクの正面図、（２）は同ディスクの側面図、（３）は同ディスクの縦断面図である。
【図９】本例のオルゴールディスクの演奏用係合部である突起の形成過程を示し、（１）はオルゴールディスクに切り込みを入れた状態の斜視図、（２）はこの切り込みを押圧して切り起こし部を形成した状態の斜視図、（３）は更にこの切り起こし部を中間で折り曲げて突起を形成した状態の斜視図である。
【図１０】本例に係り、（１）はマイクロスイッチを示し側面図、（２）及び（３）はマイクロスイッチとアダプターとの係合状態を示す図である。
【図１１】本発明のディスクオルゴールのオートチェンジ機構に係り、図１のＡーＡ断面を示す概略側面図である。
【図１２】本発明のディスクオルゴールのオートチェンジ機構に係り、図１のＢーＢ断面を示す概略側面図である。
【図１３】本発明のディスクオルゴールのオートチェンジ機構の第２具体例に係り、全体構成を示す正面図である。
【図１４】図１３に示す、オートチェンジ機構に設けられた移送機構の概略構成を示す側面図である。
【図１５】本発明の第２具体例に係り、（１），（２）は移送機構の概略構成を示す側面図である。
【符号の説明】
１    オルゴールディスク
２Ａ    装着孔
２Ｂ    回転駆動用の位置決め孔
３    演奏用係合部
３Ａ    係合突起
５    アダプター
６    軸挿嵌部
７    ディスク嵌着部
７ａ    抜け止め爪部
７ｂ    ラチェット
８    歯車部
９    支持部
９ａ    突起部
９ｂ    切欠き部
１０    オートチェンジ機構
１１    収納部
１２    ディスクホルダー
１２ａ    ホルダー表面部材
１２ｂ    ホルダー裏面部材
１３    切欠部
１４    保持アーム
１４Ａ    送り爪
２０    ディスクオルゴール
２１    ベース台
２２    中心軸
２４    駆動機構
２６    スターホイール
２６Ａ    スターホイール軸
２７    発音体
２７ａ    オルゴール弁
３１    ウォームギア
３２    第１入力歯車
３３    伝達軸
３４    第１出力歯車
３５    第２歯車
３５ａ    入力歯車部
３５ｂ    出力歯車部
３７    ディスク回転位置検出手段
３９    マイクロスイッチ
３９ａ    スイッチレバー
４１    台座
４２    板バネ
４３    モータブロック
４４    駆動軸
４５    歯車体
４６    偏心カム
５２    ディスクホルダー
５２ａ    ホルダー表面部材
５２ｂ    ホルダー裏面部材
５３    切欠部
５４    保持アーム
５５    ラック
５６    ピニオン
５７    カセット
６０    セット機構
６１    可動台座
６２    固定台座
６３    クロスアーム
６４    ピン部材
Ｍ    モータ
【図１】
0003590510.tif 000002
【図２】
0003590510.tif 000003
【図３】
0003590510.tif 000004
【図４】
0003590510.tif 000005
【図５】
0003590510.tif 000006
【図６】
0003590510.tif 000007
【図７】
0003590510.tif 000008
【図８】
0003590510.tif 000009
【図９】
0003590510.tif 000010
【図１０】
0003590510.tif 000011
【図１１】
0003590510.tif 000012
【図１２】
0003590510.tif 000013
【図１３】
0003590510.tif 000014
【図１４】
0003590510.tif 000015
【図１５】
0003590510.tif 000016